(57)【要約】【課題】  動きのある被写体がない場合、固体撮像素子及びその出力画像を処理する回路の消費電力を削減することのできる撮像装置を提供する。【解決手段】  撮像レンズ１０１を介して入来する被写体に対応した撮像光は、ＣＣＤ１２に供給され電気信号に変換される。ＣＣＤ１０２により電気信号に変換された映像信号は、信号処理回路１０３に供給され画像の動きを検出しマイコン１０６に出力する。マイコン１０６は、動きの度合いの判定を行い、ＣＣＤ１０２、信号処理回路１０３、およびカメラ信号処理回路１０４に供給する駆動クロックを選択するようにする。【選択図】      図１
2007096601.tif 000002
【特許請求の範囲】
【請求項１】
撮影レンズによって結像された被写体像を光電変換する固体撮像素子を用いた撮像装置であって、
前記固体撮像素子の読み出しタイミングを制御するタイミングジェネレータと、
前記固体撮像素子により光電変換された映像をデジタル映像信号に変換する信号処理回路と、
前記デジタル映像信号に基づいて動きの度合いである動き情報を検出する動き検出手段を備え、撮像出力映像信号を生成するカメラ信号処理回路と、
前記動き情報より前記撮像出力映像信号の動き度合いを判定するマイコンと、
を有し、前記マイコンは前記判定した動き度合いに応じた周波数の駆動クロックを前記タイミングジェネレータと、前記信号処理回路と、前記カメラ信号処理回路とに供給することを特徴とする撮像装置。
【発明の詳細な説明】
【技術分野】
【０００１】
本発明は、撮像装置に関し、特に撮影画像の動きに応じて省電力動作が可能な撮像装置に関する。
【背景技術】
【０００２】
従来より、固体撮像素子を用いた撮像装置について種々の提案がなされてきた。これらの撮像装置において、固体撮像素子の動作は常時一定に駆動されており、そのため消費電力は一定であった。
【０００３】
上述の撮像装置を用いる銀行、コンビニエンスストアー等に設置されている監視カメラシステムでは、常時、監視カメラ、モニタ、記録装置（ビデオテープレコーダー）が動作しているのが一般的である。このため、監視する必要のない多くの時間に対してもこれらの機器は動作しており、電力の多大な消費を強いられる結果になっている。
【０００４】
しかし、近年、電力と記録媒体の節減のため、監視している領域において、赤外線等の発光装置と受光装置を予め備えておき、不審人物の侵入等の状況の変化が発生した場合に、監視カメラ、モニタ、ビデオテープレコーダーから構成される監視システムが動作を開始するシステムや、カメラの回路にメモリを備え移動物体の検出を行うシステムが提案されている。
【０００５】
しかしながら不審者の検出手段として、監視している領域において、赤外線等の発光装置と受光装置を予め備え、不審人物の侵入等の状況の変化が発生した場合に、監視カメラシステムが動作を開始するシステムや、カメラの回路にメモリを備え、移動物体の検出を行うシステムでは、システムの構成が大掛かりになり、コストアップにつながる。更にメモリを備える方式ではアナログ方式が主流の白黒カメラではディジタル変換する必要があり、検出のための回路規模が大きくなり、実用的でない。
【０００６】
そこで、固体撮像素子の出力信号の内、低階調から中間階調の信号を増幅し、信号の変動成分を簡単な回路構成で検出することによりカメラ被写体の動く物体を検出することができ、更に、これを市販のタイマＩＣを制御することにより動きのある被写体を検出している間はカメラとそのシステムの電源供給を行い、設定した時間以上動きのある被写体が検出されない場合、カメラの固体撮像素子とそれを駆動するＩＣを駆動するための電源回路と本発明に係わる電源制御部にのみ電源供給が行われ、これ以外の信号処理回路、モニタ、記録部へは電源供給を行わない。この結果、動きのある被写体がない場合、即ち、監視する必要のない場面では大掛かりかつ、コストの上昇を伴うようなシステムを用いることなく監視カメラシステムの消費電力を削減することのできる監視カメラシステムが提案されている（例えば、特許文献１参照。）。
【０００７】
【特許文献１】特開２０００−２０７６５０公報
【発明の開示】
【発明が解決しようとする課題】
【０００８】
ところで、特許文献１に開示されている提案においては、監視カメラシステムとしては消費電力を削減することが記載されており、その課題が達成されているが、固体撮像素子に対しては電源供給が行われており、撮像装置としては消費電力の削減に至っていないという問題があった。
【０００９】
本発明は、以上の点に鑑みなされたもので、撮影画像の動きに応じて省電力動作が可能な撮像装置を提供することを目的とする。
【課題を解決するための手段】
【００１０】
本発明は、上記課題を解決するために、以下に記載の手段よりなる。
すなわち、
撮影レンズによって結像された被写体像を光電変換する固体撮像素子を用いた撮像装置であって、
前記固体撮像素子の読み出しタイミングを制御するタイミングジェネレータと、
前記固体撮像素子により光電変換された映像をデジタル映像信号に変換する信号処理回路と、
前記デジタル映像信号に基づいて動きの度合いである動き情報を検出する動き検出手段を備え、撮像出力映像信号を生成するカメラ信号処理回路と、
前記動き情報より前記撮像出力映像信号の動き度合いを判定するマイコンと、
を有し、前記マイコンは前記判定した動き度合いに応じた周波数の駆動クロックを前記タイミングジェネレータと、前記信号処理回路と、前記カメラ信号処理回路とに供給することを特徴とする撮像装置。
【発明の効果】
【００１１】
本発明の撮像装置によれば、固体撮像素子の出力信号から被写体の動きを検出することにより、動きのない被写体を検出している間は撮像装置の固体撮像素子及びその出力画像を処理する回路の駆動クロックを低くするようにすることで固体撮像素子及びその出力画像を処理する回路の消費電力を削減する。この結果、動きのある被写体がない場合、大掛かりかつ、コストの上昇を伴うようなシステムを用いることなく消費電力を削減することのできる撮像装置を提供するという効果を奏するものである。
【発明を実施するための最良の形態】
【００１２】
以下、本発明に係る撮像装置の発明を実施するための最良の形態につき、好ましい実施例により説明する。
【００１３】
図１に本実施例に適用される撮像装置の構成要部を示す。固体撮像素子としてＣＣＤを使用したものである。同図に示すように撮像装置１００は、撮像レンズ１０１、被写体に対応する光信号を電気信号に変換する固体撮像素子（ＣＣＤ）１０２と、ＣＣＤ１０２の出力信号に基づいて映像信号を処理しＡ／Ｄ変換出力する信号処理回路１０３と、デジタル変換された撮像信号を映像信号に変換するカメラ信号処理回路１０４と、撮像信号から画像の動きを検出し各部の制御を行うマイコン１０６と、ＣＣＤ１０２の駆動を行うタイミングジェネレータ（ＴＧ）１０５とを備える。
【００１４】
撮像レンズ１０１を介して入来する被写体に対応した撮像光は、ＣＣＤ１０２に供給され電気信号に変換される。その際の画像取り込み、読み出しの駆動制御は後述するＴＧ１０５によって行われている。ＣＣＤ１０２により電気信号に変換された映像信号は、信号処理回路１０３に供給される。
【００１５】
信号処理回路１０３では、供給された映像信号を、表示あるいは記録するための映像信号に整え出力する。それと同時に、周知の動き検出手段により画像の動きを検出する。動き検出手段より検出された動き情報は、マイコン１０６に供給される。
【００１６】
マイコン１０６は、供給された画像の動き情報に応じて動きの度合いの判定を行う。マイコン１０６はＣＣＤ１０２、信号処理回路１０３、およびカメラ信号処理回路１０４に供給する駆動クロックを複数周波数用意しており、判定した動きの度合いにより駆動する周波数を選択する。
【００１７】
すなわち、判定した動きの度合いにより現在撮像している画像の動きが大きい場合は、ＣＣＤ１２、信号処理回路１０３、およびカメラ信号処理回路１０４は通常の駆動周波数で駆動を行う。画像の動きが小さい場合は、ＣＣＤ１０２、信号処理回路１０３、およびカメラ信号処理回路１０４は通常の駆動周波数より低い周波数を選択し駆動を行う。
【００１８】
ＴＧ１０５は、マイコン１０６より供給された駆動周波数に基づき、ＣＣＤ１０２の駆動および読み出し制御を行う。
【００１９】
これにより画像の動きが小さい場合は、ＣＣＤ１０２の消費電力を抑制することが可能となる。また、信号処理回路１０３、およびカメラ信号処理回路１０４においても、ＣＣＤ１０２の駆動周波数に応じた周波数で駆動することにより撮像装置全体として消費電力を抑制することが可能となる。
【００２０】
また上述の説明では、ＣＣＤ１０２、信号処理回路１０３、およびカメラ信号処理回路１０４に供給する駆動クロックを全て同一に選択制御する例を示したが、駆動周波数が変更不可であるＣＣＤを用いた場合においても、ＣＣＤに供給する駆動周波数は不変とし、信号処理回路１０３、およびカメラ信号処理回路１０４に供給する駆動クロックを画像の動きに応じて選択する構成としてもよい。
【００２１】
すなわち、判定した動きの度合いにより現在撮像している画像の動きが大きい場合は、信号処理回路１０３、およびカメラ信号処理回路１０４は通常の駆動周波数で駆動を行う。画像の動きが小さい場合は、信号処理回路１０３、およびカメラ信号処理回路１０４は通常の駆動周波数より低い周波数を選択し駆動を行う。
【００２２】
これにより画像の動きが小さい場合は、信号処理回路１０３、およびカメラ信号処理回路１０４において、ＣＣＤの駆動周波数に比べ低い周波数で駆動することにより撮像装置全体として消費電力を抑制することが可能となる。
【図面の簡単な説明】
【００２３】
【図１】本実施例に適用される撮像装置の概略構成図である。
【符号の説明】
【００２４】
１００…撮像装置
１０１…撮像レンズ
１０２…固体撮像素子（ＣＣＤ）
１０３…信号処理回路
１０４…カメラ信号処理回路
１０５…タイミングジェネレータ（ＴＧ）
１０６…マイコン
【図１】
2007096601.tif 000003